(57)【特許請求の範囲】
【請求項１】
基台部と該基台部に着脱自在に取り付けられてフロアパネルが載置される載置用カバーとで構成されるフロアパネルの支柱であって、基台部の上面に基準面部を形成して該基準面部の一部に基準面部より上方に突出する突出面部を形成し、載置用カバーの基台部への第１の取付姿勢にて基台部の突出面部に当接する基礎面部を載置用カバーの下面に形成し、載置用カバーの基台部への第２の取付姿勢にて基台部の突出面部に当接する突面部を基礎面部の一部に突設し、載置用カバーを第１の取付姿勢又は第２の取付姿勢にて選択的に基台部へ取り付けて成ることを特徴とするフロアパネルの支柱。
【請求項２】
載置用カバーの突面部の基礎面部からの突出高さと基台部の突出面部の基準面部からの突出高さとをほぼ等しく形成して成ることを特徴とする請求項１記載のフロアパネルの支柱。
【請求項３】
載置用カバーの基礎面部に第２の取付姿勢にて基台部の基準面部に当接する凸部を形成し、第１の取付姿勢にて前記凸部が収納される孔部を基台部の突出面部に形成して成ることを特徴とする請求項１又は２記載のフロアパネルの支柱。
【請求項４】
載置用カバーに第１の取付姿勢か第２の取付姿勢かを識別可能な表示部を設けて成ることを特徴とする請求項１乃至３のいずれかに記載のフロアパネルの支柱。
【請求項５】
載置用カバーの基礎面部と突面部とにそれぞれ位置決め凸部を突設し、第１の取付姿勢及び第２の取付姿勢にて前記位置決め凸部が収納される位置決め孔部を基台部の基準面部と突出面部とにそれぞれ穿孔して成ることを特徴とする請求項１乃至４のいずれかに記載のフロアパネルの支柱。
【請求項６】
載置用カバーの周縁部に第１の取付姿勢及び第２の取付姿勢にて基台部の周縁部に被嵌される嵌合部を突設すると共に、前記嵌合部による被嵌を解除する解除部を嵌合部近傍に形成して成ることを特徴とする請求項１乃至５のいずれかに記載のフロアパネルの支柱。
【請求項７】
基台部に、隣接するフロアパネルに対する位置決めを行う隣接位置決め部を設けて成ることを特徴とする請求項１乃至６のいずれかに記載のフロアパネルの支柱。
【請求項８】
基台部に、フロアパネルの敷設構造のボーダー部分に対する位置決めを行うボーダー位置決め部を設けて成ることを特徴とする請求項１乃至７のいずれかに記載のフロアパネルの支柱。
【請求項９】
隣接位置決め部又はボーダー位置決め部を載置用カバーを回避可能な板状に形成して成ることを特徴とする請求項７又は８記載のフロアパネルの支柱。
【請求項１０】
隣接位置決め部又はボーダー位置決め部を容易に除去可能とする除去部を形成して成ることを特徴とする請求項７乃至９のいずれかに記載のフロアパネルの支柱。
【発明の詳細な説明】
【０００１】
【発明の属する技術分野】
本発明は、二重床システムのフロアパネルを載置する支柱に関するものである
【０００２】
【従来の技術】
近年、建物のオフィスの床下地の上面に支柱を配置すると共に、この支柱にフロアパネルを載置する二重床システムが良く用いられており、図１２乃至図１４に基づいて説明する。
【０００３】
フロアパネル３は、平面視略正方形状をした金属製の板状の部材で、フロアパネル３の隅部はそれぞれ支柱に載置されるものである。
【０００４】
支柱Ｓ’は、オフィスの床下地Ｆの上面に配置してこの上にフロアパネル３が載置されるもので、図１３に示すような箱状をした支柱Ｓ1’や、図１４に示すようなボルト・ナットからなる支柱Ｓ2’等がある。そして、このような支柱Ｓ’に上記フロアパネル３を載置し、フロアパネル３と床下地Ｆとの間に配線用の隙間を形成するものである。なお、図１４中のＴＣはタイルカーペットを示す。
【０００５】
このような二重床システムにおいては、オフィスの床下地Ｆに平面視で隙間なくフロアパネル３を配設するにあたり、通常はオフィスの床下地Ｆの辺の長さはフロアパネル３の辺の長さの整数倍とはなっていないため、壁等の敷設構造のボーダー部分に配設するフロアパネル３を切断して、床下地Ｆ上に配設する複数のフロアパネル３の辺の長さをオフィスの床下地Ｆの辺の長さにほぼ一致させるものである。
【０００６】
切断したフロアパネル３’は、図１２（ａ）に示すように切断部３ａにボーダーカバー７を取り付けることがあり、この時、図１２（ｃ）に示すようにボーダーカバー７の下面７ｂがフロアパネル３の下面３２ｂよりも下方に突出するものであった。このため、フロアパネル３’の下面３２ｂを直接支持する場合（図１２（ｂ）参照）と、フロアパネル３’に取り付けたボーダーカバー７の下面７ｂを支持する場合（図１２（ｃ）参照）とでは、支柱Ｓ’で支持すべき支持高さＨ1とＨ2とが異なるものであるが、高さ調整機能を有さない支柱Ｓ1’では、図１３に示すようにボーダーカバー７の下面７ｂを支持すると、フロアパネル３’の下面３２ｂを直接支持する場合よりもフロアパネル３’が上方に浮き上がった状態となってしまい、両方の場合に対応できないものであった。
【０００７】
そこで、図１４に示すようなボルト・ナットからなる高さ調整機能を有する支柱Ｓ2’が用いることがあった。これは、ナットとボルトとの螺合状態を変えることで高さ調整を行うものであるが、ナットとボルトとの螺合状態は離散的でなく連続的に変わるものであるため、微調整が必要となって精確な高さ調整が困難なものであった。
【０００８】
【発明が解決しようとする課題】
本発明は上記の点に鑑みてなされたものであり、その目的とするところは、支柱に載置するフロアパネルにボーダーカバーが取り付いている場合と取り付いていない場合のどちらの場合でも、容易に精確に高さ調整可能なフロアパネルの支柱を提供することにある。
【０００９】
【課題を解決するための手段】
上記課題を解決するために本発明に係るフロアパネルの支柱は、基台部１と該基台部１に着脱自在に取り付けられてフロアパネル３が載置される載置用カバー２とで構成されるフロアパネルの支柱であって、基台部１の上面に基準面部４１を形成して該基準面部４１の一部に基準面部４１より上方に突出する突出面部４２を形成し、載置用カバー２の基台部１への第１の取付姿勢にて基台部１の突出面部４２に当接する基礎面部５１を載置用カバー２の下面に形成し、載置用カバー２の基台部１への第２の取付姿勢にて基台部１の突出面部４２に当接する突面部５２を基礎面部５１の一部に突設し、載置用カバー２を第１の取付姿勢又は第２の取付姿勢にて選択的に基台部１へ取り付けて成ることを特徴とするものである。このような構成とすることで、第１の取付姿勢と第２の取付姿勢とを変更するだけで、フロアパネル３’の下面３２ｂを直接支持する場合と、フロアパネル３’に取り付けたボーダーカバー７の下面７ｂを支持する場合のいずれの場合でも、フロアパネル３’の上面３１ａの床下地Ｆからの高さを一定にすることが可能となる。
【００１０】
また、載置用カバー２の突面部５２の基礎面部５１からの突出高さｈ2と基台部１の突出面部４２の基準面部４１からの突出高さｈ1とをほぼ等しく形成することが好ましい。このような構成とすることで、第１の取付姿勢で取り付ける場合に、基台部１の基準面部４１と載置用カバー２の突面部５２とが当接すると共に、基台部１の突出面部４２と載置用カバー２の基礎面部５１とが当接するので、載置用カバー２が基台部１に安定して載置・支持されるものである。
【００１１】
また、載置用カバー２の基礎面部５１に第２の取付姿勢にて基台部１の基準面部４１に当接する凸部５３を形成し、第１の取付姿勢にて前記凸部５３が収納される孔部４３を基台部１の突出面部４２に形成することが好ましい。このような構成とすることで、第２の取付姿勢で取り付けた場合には、載置用カバー２の基礎面部５１が凸部５３によって基台部１の基準面部４１に支持される状態となり、第１の取付姿勢で取り付けた場合には、凸部５３が孔部４３に収納されて凸部５３が基台部１の突出面部４２に当接してしまって邪魔になるといったことがないものである。
【００１２】
また、載置用カバー２に第１の取付姿勢か第２の取付姿勢かを識別可能な表示部８を設けることが好ましい。このような構成とすることで、作業者が載置用カバー２が第１の取付姿勢か第２の取付姿勢のいずれで基台部１に取り付いているかを識別することが可能となる。
【００１３】
また、載置用カバー２の基礎面部５１と突面部５２とにそれぞれ位置決め凸部５４を突設し、第１の取付姿勢及び第２の取付姿勢にて前記位置決め凸部５４が収納される位置決め孔部４４を基台部１の基準面部４１と突出面部４２とにそれぞれ穿孔することが好ましい。このような構成とすることで、第１の取付姿勢及び第２の取付姿勢のいずれの場合でも載置用カバー２の基台部１への位置決めが精確に行われるものである。
【００１４】
また、載置用カバー２の周縁部に第１の取付姿勢及び第２の取付姿勢にて基台部１の周縁部に被嵌される嵌合部２１を突設すると共に、前記嵌合部２１による被嵌を解除する解除部２３を嵌合部２１近傍に形成することが好ましい。このような構成とすることで、嵌合部２１を基台部１の周縁部に嵌合するだけで載置用カバー２を基台部１に強固に固定することができると共に、嵌合の解除を容易に行うことが可能となるものである。
【００１５】
また、基台部１に、隣接するフロアパネル３に対する位置決めを行う隣接位置決め部６１を設けることが好ましい。このような構成とすることで、支柱Ｓに載置するフロアパネル３’に隣接するフロアパネル３の端縁に支柱Ｓを当接するだけで、支柱Ｓを配置する位置が容易に位置決めされるものである。
【００１６】
また、基台部１に、フロアパネル３の敷設構造のボーダー部分Ｂに対する位置決めを行うボーダー位置決め部６２を設けることが好ましい。このような構成とすることで、ボーダー部分Ｂに支柱を当接するだけで、支柱Ｓを配置する位置が容易に位置決めされる
また、隣接位置決め部６１又はボーダー位置決め部６２を載置用カバー２を回避可能な板状に形成することが好ましい。このような構成とすることで、載置用カバー２を基台部１に取り付ける際、載置用カバー２と隣接位置決め部６１又はボーダー位置決め部６２とが干渉しないものである。
【００１７】
また、隣接位置決め部６１又はボーダー位置決め部６２を容易に除去可能とする除去部６３を形成することが好ましい。このような構成とすることで、隣接位置決め部６１又はボーダー位置決め部６２を容易に除去可能となる。
【００１８】
【発明の実施の形態】
本発明は、建物のオフィスの床下地Ｆの上面に支柱Ｓを配置して支柱Ｓにフロアパネル３を載置し、床下地Ｆとフロアパネル３との間に配線用の隙間を形成する二重床システムに関するもので、以下に添付図面に基づいて説明する。
【００１９】
フロアパネル３は、図７，図１２に示すように、平面視正方形状をした板状のもので、トップ板３１とボトム板３２とで主体が構成される。トップ板３１は、平面視正方形状をした金属製の板状の部材であり、またボトム板３２は、平面視正方形状をした上方に開口する大略箱状の金属製の部材で、このトップ板３１とボトム板３２とを周縁部にて溶接して構成してある。このようなフロアパネル３は、トップ板３１の上面３１ａがフロアパネル３の上面となると共に、ボトム板３２の下面３２ｂがフロアパネル３の下面となる。なお、フロアパネル３内にはモルタル等の充填材を充填することもあるが、本実施形態では充填材を充填せずに中空としてある。
【００２０】
このフロアパネル３は、オフィスの床下地Ｆの上面に平面視において隙間無く敷き詰められるが（図１１参照）、壁等の敷設構造のボーダー部分Ｂに配設されるフロアパネル３’は、隣接するフロアパネル３とボーダー部分Ｂまでの距離に合わせて切断して使用される。切断されるフロアパネル３’は、通常はコンターマシン等の切断機によって平面視略長方形状となるように切断加工する。
【００２１】
そして、切断したフロアパネル３’には、図１２に示すように、切断部３ａにボーダーカバー７を取り付けたりするものである。ボーダーカバー７は、上横片７１と覆い側片７２と下横片７３とからなる側面視転倒コ字状のもので、上横片７１の上面と下横片７３の上面とをそれぞれフロアパネル３’の切断部３ａのトップ板３１の下面とボトム板３２の下面３２ｂとに当接して取り付けるものである。
【００２２】
このようにすることで、フロアパネル３’の切断した辺を敷設構造のボーダー部分Ｂに配置することができるようになって、オフィスの床下地Ｆ上にフロアパネル３をほぼ隙間無く敷き詰めることが可能となる。
【００２３】
フロアパネル３が載置される支柱Ｓは、基台部１と載置用カバー２とで大略構成されるもので、更に基台部１は本体部１０と台座部１３とで構成される。
【００２４】
基台部１の台座部１３は、図６に示すように、ポリプロピレン等の合成樹脂で形成される大略板状をしたもので、周縁部からは本体部１０が嵌入されるリブ１４が上方に向けて突設される。
【００２５】
基台部１の本体部１０は、図５に示すように、上横板部１１と、上横板部１１より垂下される側縦板部１２とで主体が構成される冷間圧延鋼板（例えばＳＰＣＣ）等の金属で形成されるものである。
【００２６】
上横板部１１は、平面視略矩形状の略板状をしたもので、周縁部からは側縦板部１２が垂下される。側縦板部１２は、それぞれ略矩形状の略板状のもので、本実施形態では、上横板部１１の両短辺１１ａと一方の長辺１１ｂ1より下方に連設してある。この側縦板部１２は、上述した台座部１３のリブ１４の内部に嵌入される。また、上横板部１１の上面には基準面部４１，突出面部４２を形成するものであるが、これについては後で説明する。
【００２７】
更に、上横板部１１からは、いずれも板状をした隣接位置決め部６１とボーダー位置決め部６２とが垂設される。これは、上横板部１１の長辺１１ｂのうち、側縦板部１２を連設した側の長辺１１ｂ1から隣接位置決め部６１を立設し、側縦板部１２を連設していない側の長辺１１ｂ2からボーダー位置決め部６２を立設したものである。
【００２８】
なお本実施形態においては、上横板部１１の側縦板部１２を連設していない側の長辺１１ｂ2のほぼ全長からボーダー位置決め部６２を連設し、側縦板部１２を連設する側の長辺１１ｂ1においては、この長辺１１ｂ1の両端部よりそれぞれ側縦板部１２を連設すると共に側縦板部１２を連設していない部分（即ち中央部）より隣接位置決め部６１を連設し、両短辺１１ａにおいてはほぼ全長からそれぞれ側縦板部１２を連設してあるため、一枚の平板状の部材の一部を切断・切欠して折曲することで本体部１０（即ち上横板部１１，側縦板部１２，隣接位置決め部６１，ボーダー位置決め部６２）を一体に形成可能である。また更に、長辺１１ｂより連設される側縦板部１２及びボーダー位置決め部６２の長辺方向の端部間長さを長辺１１ｂの長さより短く形成し、短辺１１ａより連設される側縦板部１２の短辺方向長さを短辺１１ａの長さより長く形成してこの側縦板部１２を平面視大略コ字状に折曲して形成してあることで、短辺１１ａより連設される側縦板部１２によるフロアパネル３の支持強度が増大するものである。
【００２９】
上記のような台座部１３のリブ１４に本体部１０を嵌入載置して支柱Ｓの基台部１が構成されるもので、基台部１には載置用カバー２が載置して取り付けられる。
【００３０】
載置用カバー２は、図４に示すように、ポリエチレン等の合成樹脂で形成される略板状をしたもので、周縁部（本実施形態では短辺２ａ部近傍）には嵌合部２１が下方に向けて突設してある。載置用カバー２の基台部１への取り付けは、載置用カバー２の下面を基台部１の上面に載置して上記嵌合部２１を基台部１の周縁部に被嵌するもので、以下に説明する。
【００３１】
基台部１の上面即ち、本体部１０の上横板部１１の上面は、図５に示すように、略水平面となる基準面部４１が形成してあり、この基準面部４１の一部（本実施形態では長辺１１ｂ1側の半部）に基準面部４１よりも上方に突出する突出面部４２が形成してある。そして、載置用カバー２の下面は、図４に示すように、下方に面する略水平面となる基礎面部５１が形成してあり、この基礎面部５１の一部に（本実施形態では一方の長辺２ｂ1側の半部）に基礎面部５１よりも下方に突出する突面部５２を形成するものである。またこの時、基台部１における突出面部４２の基準面部４１からの突出高さｈ1（図５（ｄ）参照）は、載置用カバー２の突面部５２の基礎面部５１からの突出高さｈ2（図４（ｃ）参照）と等しくなるように形成してある。
【００３２】
載置用カバー２の基台部１への取り付けは、上述したように載置用カバー２の下面を基台部１の上面に当接させて嵌合部２１を基台部１の周縁部に被嵌するのであるが、載置用カバー２と基台部１はいずれも平面視においてほぼ同じ矩形状に形成してあるため、前記取り付け状態は二通り存在する。そこで、この二通りの取り付け状態を、図１に示すように、基台部１の突出面部４２を形成した側の長辺１１ｂ1と載置用カバー２の突面部５２を形成していない側の長辺２ｂ2とが平面視で合致するように取り付ける場合を第１の取付姿勢とし、図２に示すように、基台部１の突出面部４２を形成した側の長辺１１ｂ1と載置用カバー２の突面部５２を形成した側の長辺２ｂ1とが平面視で合致するように取り付ける場合を第２の取付姿勢とする。
【００３３】
第１の取付姿勢で取り付ける場合、図１（ａ）に示すように、基台部１の基準面部４１と載置用カバー２の突面部５２とが当接すると共に、基台部１の突出面部４２と載置用カバー２の基礎面部５１とが当接するものである。また、第２の取付姿勢で取り付ける場合、図２（ａ），図３（ｃ）に示すように、基台部１の突出面部４２と載置用カバー２の突面部５２とが当接するものである。従って、第１の取付姿勢で取り付けた場合の支柱Ｓの高さ（即ち載置用カバー２の上面の床下地Ｆからの高さ）Ｈ1は、第２の取付姿勢で取り付けた場合の支柱Ｓの高さＨ2よりも基台部１の突出面部４２の基準面部４１からの突出高さｈ1（即ち本実施形態では載置用カバー２の突面部５２の基礎面部５１からの突出高さｈ2）分だけ低くなるものである。
【００３４】
第１の取付姿勢と第２の取付姿勢との変更は、例えば、図８（ａ）に示すように第２の取付姿勢で取り付けてあった場合、載置用カバー２を基台部１より取り外して持ち上げて（図８（ｂ）参照）１８０°回転させ（図８（ｃ）参照）、載置用カバー２を再び基台部１に取り付けることで（図８（ｄ）参照）、第１の取付姿勢にすることができる。
【００３５】
支柱Ｓにフロアパネル３を載置するには、フロアパネル３の下面を直接支柱Ｓに載置する場合は、図９（ａ）に示すように、第２の取付状態で載置用カバー２を基台部１に取り付けた支柱Ｓの上面にフロアパネル３の下面３２ｂを載置し、また、フロアパネル３に取り付けたボーダーカバー７の下面７ｂを支柱Ｓに載置する場合には、図９（ｂ）に示すように、第１の取付状態で載置用カバー２を基台部１に取り付けた支柱Ｓの上面にボーダーカバー７の下面７ｂを載置するもので、上記いずれの場合でも、フロアパネル３の上面３１ａの床下地Ｆからの高さを一定にすることが可能となる。
【００３６】
以上のような構成によれば、支柱Ｓの高さがＨ1となる第１の取付姿勢と、支柱Ｓの高さがＨ1よりｈ1（又はｈ2）高いＨ2となる第２の取付姿勢とを選択的に取付可能となり、フロアパネル３’の下面３２ｂを直接支持する場合と、フロアパネル３’に取り付けたボーダーカバー７の下面７ｂを支持する場合のいずれの場合でも、フロアパネル３’の上面３１ａの床下地Ｆからの高さを一定にすることが可能となり、さらにボルト・ナット等で微調整することなく取付姿勢を変更するという簡単な作業のみで容易に精確に高さ調整が可能となるものである。これによって、複数のフロアパネル３の上面３１ａを容易に面一に形成できて、安定した歩行感が確保できるようになる。
【００３７】
また、載置用カバー２の基礎面部５１には、図４に示すように、第２の取付姿勢で取り付けた場合に基台部１の基準面部４１に当接する凸部５３が突設してあり、さらに、基台部１の突出面部４２には、図５に示すように、第１の取付姿勢で取り付けた場合に凸部５３を収納するための孔部４３が穿設してある。このようにすることで、第２の取付姿勢で取り付けた場合に、図３（ａ）に示すように、載置用カバー２の基礎面部５１が凸部５３によって基台部１の基準面部４１に支持される状態となり、また第１の取付姿勢で取り付けた場合には、凸部５３が孔部４３に収納されて、凸部５３が基台部１の突出面部４２に当接してしまって邪魔になるといったことがないものである。
【００３８】
また、載置用カバー２には、図４に示すように、基礎面部５１と突面部５２とにそれぞれ位置決め凸部５４が突設してあり、さらに、基台部１の基準面部４１と突出面部４２とにそれぞれ前記位置決め凸部５４が収納嵌入される位置決め孔部４４が穿設してある。これら位置決め凸部５４及び位置決め孔部４４はそれぞれ載置用カバー２及び基台部１において、平面視で長辺方向の中間部で且つ短辺方向のそれぞれの半部の中間部に形成してあり、これら位置決め凸部５４及び位置決め孔部４４は全てほぼ同径に形成してある。
【００３９】
このようにすることで、第１の取付姿勢で取り付ける場合には、図１（ａ）に示すように、載置用カバー２の基礎面部５１に突設した位置決め凸部５４が基台部１の突出面部４２に穿設した位置決め孔部４４に収納嵌入されると同時に、載置用カバー２の突面部５２に突設した位置決め凸部５４が基台部１の基準面部４１に穿設した位置決め孔部４４に収納嵌入され、第２の取付姿勢で取り付ける場合には、図２（ａ）に示すように、載置用カバー２の突面部５２に突設した位置決め凸部５４が基台部１の突出面部４２に穿設した位置決め孔部４４に収納嵌入されると同時に、載置用カバー２の基礎面部５１に突設した位置決め凸部５４が基台部１の基準面部４１に穿設した位置決め孔部４４に収納嵌入されて、いずれの場合でも載置用カバー２の基台部１への位置決めが精確に行われる。
【００４０】
なお、本実施形態では、上述したような凸部５３及び位置決め凸部５４は載置用カバー２に設け、孔部４３及び位置決め孔部４４は基台部１に設けたが、凸部５３及び位置決め凸部５４を基台部１に設けると共に孔部４３及び位置決め孔部４４を載置用カバー２に設けてもよい。
【００４１】
また、載置用カバー２の上面には、第１の取付姿勢か第２の取付姿勢かを識別可能な表示部８が設けてある。これは、図４（ａ）に示すように、載置用カバー２の上面の突面部５２を形成していない側の長辺２ｂ2近傍に三角印を刻設するものである。このようにすることで、作業者が載置用カバー２を上方より見た場合、表示部８の三角印がある長辺２ｂ2側が基礎面部５１側であることが分かり、第１の取付姿勢か第２の取付姿勢かを識別することができる。また更に、基台部１にも基台表示部８１が設けてある。これは、図５（ａ）に示すように、基台部１の突面部５２を形成した側の長辺１１ｂ1から連設される側縦板部１２の上端部近傍に三角印を刻設するものである。このようにすることで、第１の取付姿勢で取り付けた場合に載置用カバー２の表示部８の三角印と基台部１の基台表示部８１の三角印とが突き合わされた状態で配置されることになり（図８（ｄ）参照）、このとき取り付け状態が第１の取付姿勢であることがより確実に分かる。
【００４２】
また、載置用カバー２には、周縁部に設けた嵌合部２１による基台部１への嵌合を解除する解除部２３を設けるものであり、以下に説明する。
【００４３】
載置用カバー２には、上述したように、図４に示すようなリブ状の嵌合部２１が短辺２ａ側の周縁部にそれぞれ下方に向けて突設してあり、基台部１の周縁部に被嵌されるものである。この嵌合部２１には、突面部５２が形成される短辺２ｂ1側の半部の内面に係止突起２２が突設してあり、基台部１の側縦板部１２には、図５に示すように、前記係止突起２２が係止される係止孔１５が穿設してある。
【００４４】
係止孔１５は、第１の取付姿勢の場合（図１参照）に載置用カバー２の係止突起２２が係止される第１の係止孔１５ａが長辺１１ｂ2側の半部に、第２の取付姿勢の場合（図２参照）に載置用カバー２の係止突起２２が係止される第２の係止孔１５ｂが長辺１１ｂ1側の半部にそれぞれ形成してあり、第１の取付姿勢の場合，第２の取付姿勢の場合に載置用カバー２の係止突起２２がそれぞれ基台部１の第１の係止孔１５ａ，第２の係止孔１５ｂに係止され、載置用カバー２の基台部１への取り付けが強固に行われる。
【００４５】
そして、載置用カバー２の平面視において係止突起２２を設けた部分には、図４に示すように、解除部２３として工具等を挿通する挿通孔が穿孔してある。これは、係止突起２２を係止孔１５に係止して載置用カバー２の嵌合部２１を基台部１の周縁へ嵌合した状態において、嵌合解除部２３に工具等を挿通して力を加えて載置用カバー２の嵌合リブを外側に撓ませ、これによって係止突起２２の係止孔１５への係止を解除し、嵌合部２１による載置用カバー２の基台部１への嵌合を解除するものである。これにより、嵌合の解除を容易に行うことが可能となる。
【００４６】
また、基台部１には、上述したように、図５，図１０に示すような隣接位置決め部６１及びボーダー位置決め部６２が設けてある。
【００４７】
隣接位置決め部６１は、支柱Ｓに載置するフロアパネル３’に隣接するフロアパネル３の端縁に支柱Ｓを当接することで、支柱Ｓを配置する位置が位置決めされるものである。
【００４８】
ボーダー位置決め部６２は、図１１に示すように、切断したフロアパネル３’を壁等の敷設構造のボーダー部分Ｂに配置する際、ボーダー部分Ｂに支柱を当接することで支柱Ｓを配置する位置が容易に位置決めされると共に、フロアパネル３’の切断部３ａがボーダー部分Ｂに当たってボーダー部分Ｂを損傷しないようにするものである。また、フロアパネル３’の切断部３ａが直接ボーダー部分Ｂに当接する場合、ボーダー部分Ｂがに平面度が出ていないとフロアパネル３’の切断部３ａが片当たり状に当接してフロアパネル３’を良好に配置することができないが、ボーダー位置決め部６２を設けることでフロアパネル３’の切断部３ａを全面で当接させることができて、フロアパネル３’を良好な当接状態にすることができる。
【００４９】
このような隣接位置決め部６１及びボーダー位置決め部６２は、載置用カバー２を回避可能な板状に形成してある。すなわち本実施形態では、隣接位置決め部６１及びボーダー位置決め部６２は、載置用カバー２を基台部１に取り付ける際に干渉しないように、基台部１の上横板部１１の長辺１１ｂより上方に正面視略矩形をした板状のものを突設して形成してある。載置用カバー２には、短辺２ａ部近傍にのみ嵌合部２１が下方に向けて突設してあるので、載置用カバー２と隣接位置決め部６１及びボーダー位置決め部６２とは干渉しないものである。
【００５０】
さらに、隣接位置決め部６１及びボーダー位置決め部６２の近傍には、これらを容易に除去可能とする除去部６３が形成してある。これは、上横板部１１の隣接位置決め部６１及びボーダー位置決め部６２が突出する突出基部にミシン目状の切り込みを形成したものである。このようにすることで、隣接位置決め部６１やボーダー位置決め部６２を図１０（ａ）に示す矢印のように作業者が折り曲げることで、図１０（ｂ）に示すように隣接位置決め部６１やボーダー位置決め部６２がない支柱Ｓを容易に得ることができる。
【００５１】
【発明の効果】
上記のように本発明の請求項１記載の発明にあっては、基台部と該基台部に着脱自在に取り付けられてフロアパネルが載置される載置用カバーとで構成されるフロアパネルの支柱であって、基台部の上面に基準面部を形成して該基準面部の一部に基準面部より上方に突出する突出面部を形成し、載置用カバーの基台部への第１の取付姿勢にて基台部の突出面部に当接する基礎面部を載置用カバーの下面に形成し、載置用カバーの基台部への第２の取付姿勢にて基台部の突出面部に当接する突面部を基礎面部の一部に突設し、載置用カバーを第１の取付姿勢又は第２の取付姿勢にて選択的に基台部へ取り付けたので、第１の取付姿勢と第２の取付姿勢とを変更するだけで、フロアパネルの下面を直接支持する場合と、フロアパネルに取り付けたボーダーカバーの下面を支持する場合のいずれの場合でも、フロアパネルの上面の床下地からの高さを一定にすることが可能となり、さらに、ボルト・ナット等で微調整することなく取付姿勢を変更するという簡単な作業のみで容易に精確に高さ調整が可能となるものである。
【００５２】
また請求項２記載の発明にあっては、上記請求項１記載の発明の効果に加えて、載置用カバーの突面部の基礎面部からの突出高さと基台部の突出面部の基準面部からの突出高さとをほぼ等しく形成したので、第１の取付姿勢で取り付ける場合に、基台部の基準面部と載置用カバーの突面部とが当接すると共に、基台部の突出面部と載置用カバーの基礎面部とが当接するので、載置用カバーが基台部に安定して載置・支持されるものである。
【００５３】
また請求項３記載の発明にあっては、上記請求項１又は２記載の発明の効果に加えて、載置用カバーの基礎面部に第２の取付姿勢にて基台部の基準面部に当接する凸部を形成し、第１の取付姿勢にて前記凸部が収納される孔部を基台部の突出面部に形成したので、第２の取付姿勢で取り付けた場合には、載置用カバーの基礎面部が凸部によって基台部の基準面部に支持される状態となり、第１の取付姿勢で取り付けた場合には、凸部が孔部に収納されて凸部が基台部の突出面部に当接してしまって邪魔になるといったことがないものである。
【００５４】
また請求項４記載の発明にあっては、上記請求項１乃至３のいずれかに記載の発明の効果に加えて、載置用カバーに第１の取付姿勢か第２の取付姿勢かを識別可能な表示部を設けたので、作業者が載置用カバー２が第１の取付姿勢か第２の取付姿勢のいずれで基台部１に取り付いているかを識別することが可能となる。
【００５５】
また請求項５記載の発明にあっては、上記請求項１乃至４のいずれかに記載の発明の効果に加えて、載置用カバーの基礎面部と突面部とにそれぞれ位置決め凸部を突設し、第１の取付姿勢及び第２の取付姿勢にて前記位置決め凸部が収納される位置決め孔部を基台部の基準面部と突出面部とにそれぞれ穿孔したので、このような構成とすることで、第１の取付姿勢及び第２の取付姿勢のいずれの場合でも載置用カバーの基台部への位置決めが精確に行われるものである。
【００５６】
また請求項６記載の発明にあっては、上記請求項１乃至５のいずれかに記載の発明の効果に加えて、載置用カバーの周縁部に第１の取付姿勢及び第２の取付姿勢にて基台部の周縁部に被嵌される嵌合部を突設すると共に、前記嵌合部による被嵌を解除する解除部を嵌合部近傍に形成したので、嵌合部を基台部の周縁部に嵌合するだけで載置用カバーを基台部に強固に固定することができると共に、嵌合の解除を容易に行うことが可能となるものである。
【００５７】
また請求項７記載の発明にあっては、上記請求項１乃至６のいずれかに記載の発明の効果に加えて、基台部に、隣接するフロアパネルに対する位置決めを行う隣接位置決め部を設けたので、支柱に載置するフロアパネルに隣接するフロアパネルの端縁に支柱を当接するだけで、支柱を配置する位置が容易に位置決めされるものである。
【００５８】
また請求項８記載の発明にあっては、上記請求項１乃至７のいずれかに記載の発明の効果に加えて、基台部に、フロアパネルの敷設構造のボーダー部分に対する位置決めを行うボーダー位置決め部を設けたので、ボーダー部分に支柱を当接するだけで、支柱を配置する位置が容易に位置決めされる。
【００５９】
また請求項９記載の発明にあっては、上記請求項７又は８記載の発明の効果に加えて、隣接位置決め部又はボーダー位置決め部を載置用カバーを回避可能な板状に形成したので、載置用カバーを基台部に取り付ける際、載置用カバーと隣接位置決め部又はボーダー位置決め部とが干渉しないものである。
【００６０】
また請求項１０記載の発明にあっては、上記請求項７乃至９のいずれかに記載の発明の効果に加えて、隣接位置決め部又はボーダー位置決め部を容易に除去可能とする除去部を形成したので、隣接位置決め部又はボーダー位置決め部を容易に除去することが可能となる。
【図面の簡単な説明】
【図１】本発明の一実施形態において、第１の取付姿勢にて載置用カバーを基台部に取り付けた状態を示し、（ａ）は正面断面図であり、（ｂ）は正面図である。
【図２】同上において、第２の取付姿勢にて載置用カバーを基台部に取り付けた状態を示し、（ａ）は正面断面図であり、（ｂ）は正面図である。
【図３】同上において、第２の取付姿勢にて載置用カバーを基台部に取り付けた状態を示し、（ａ）は側面図であり、（ｂ）は平面図であり、（ｃ）は側断面図である。
【図４】同上における載置用カバーを示し、（ａ）は平面図であり、（ｂ）は側面図であり、（ｃ）は側断面図であり、（ｄ）は下面図であり、（ｅ）は正面図である。
【図５】同上における基台部の本体部を示し、（ａ）は側面図であり、（ｂ）は平面図であり、（ｃ）は正面断面図であり、（ｄ）は正面図である。
【図６】同上における基台部の台座部を示し、（ａ）は平面図であり、（ｂ）は側面図であり、（ｃ）は正面図である。
【図７】同上におけるフロアパネルを示し、（ａ）は平面図であり、（ｂ）は側面図である。
【図８】（ａ）（ｂ）（ｃ）（ｄ）は、同上における載置用カバーの基台部への取り付けを説明する説明図である。
【図９】同上において、（ａ）は第２の取付姿勢で取り付けた支柱でフロアパネルの下面を直接支持した状態を示す説明図であり、（ｂ）は第１の取付姿勢で取り付けた支柱でボーダーカバーの下面を支持した状態を示す説明図である。
【図１０】同上の支柱であって、（ａ）は隣接位置決め部及びボーダー位置決め部が取り付いた状態を示す斜視図であり、（ｂ）は隣接位置決め部及びボーダー位置決め部を除去した状態を示す斜視図である。
【図１１】二重床システムを説明する斜視図である。
【図１２】切断したフロアパネル及びボーダーカバーを示し、（ａ）は分解斜視図であり、（ｂ）はボーダーカバーを取り付けない場合の側面図であり、（ｃ）はボーダーカバーを取り付けた場合の側面図である。
【図１３】従来の一例の説明図である。
【図１４】従来の他例の説明図である。
【符号の説明】
１  基台部
２  載置用カバー
３  フロアパネル
４１  基準面部
４２  突出面部
５１  基礎面部
５２  突面部
Ｓ  支柱
【図１】
0003903810.tif 000002
【図２】
0003903810.tif 000003
【図３】
0003903810.tif 000004
【図４】
0003903810.tif 000005
【図５】
0003903810.tif 000006
【図６】
0003903810.tif 000007
【図７】
0003903810.tif 000008
【図８】
0003903810.tif 000009
【図９】
0003903810.tif 000010
【図１０】
0003903810.tif 000011
【図１１】
0003903810.tif 000012
【図１２】
0003903810.tif 000013
【図１３】
0003903810.tif 000014
【図１４】
0003903810.tif 000015